(57)【要約】【課題】記録媒体間で音声映像データをコピーや移動などする場合の操作性を向上させる。【解決手段】ＤＶＤが装填されると、そのＤＶＤに記録されたキーワードが読み出され（Ｓ２１０）、内蔵ＨＤＤに記録されているＡＶデータのうち、そのタイトルに上記キーワードが含まれるものが検索され（Ｓ２０２）、検索されたＡＶデータがＤＶＤにコピーされる（Ｓ２０５）。【選択図】図３
2008152820.tif 000002
【特許請求の範囲】
【請求項１】
固定的に設けられた固定記録媒体に対して映像音声データを記録再生する固定記録媒体記録再生部と、
着脱可能な外部記録媒体に対して映像音声データを記録再生する外部記録媒体記録再生部と、
を有する映像音声データ記録再生装置であって、
上記外部記録媒体から、その外部記録媒体に対する映像音声データの記録方法および再生方法の少なくとも一方に関する制御情報を読み出す制御情報読み出し部と、
上記制御情報に基づいて、上記外部記録媒体に対する映像音声データの記録動作および再生動作の少なくとも一方を制御する制御部と、
を有することを特徴とする映像音声データ記録再生装置。
【請求項２】
請求項１の映像音声データ記録再生装置であって、
上記制御情報は、複数の映像音声データのうちから１つ以上の映像音声データを選択する選択情報を含み、
上記制御部は、固定記録媒体に記憶された映像音声データのうち、上記選択情報によって選択される映像音声データを外部記録媒体にコピーまたは移動させることを特徴とする映像音声データ記録再生装置。
【請求項３】
請求項２の映像音声データ記録再生装置であって、
上記選択情報は、検索キーワードを含み、
上記制御部は、固定記録媒体に記録された映像音声データまたは付属情報に上記検索キーワードが含まれる映像音声データを選択することを特徴とする映像音声データ記録再生装置。
【請求項４】
請求項３の映像音声データ記録再生装置であって、さらに、
ユーザから指定された検索キーワードを外部記録媒体に書き込む検索キーワード書き込み部を有することを特徴とする映像音声データ記録再生装置。
【請求項５】
請求項３の映像音声データ記録再生装置であって、さらに、
外部記録媒体に既に記録されている映像音声データまたは付属情報から検索キーワードを抽出する検索キーワード抽出部と、
抽出された検索キーワードを上記外部記録媒体に書き込む検索キーワード書き込み部と、
を有することを特徴とする映像音声データ記録再生装置。
【請求項６】
請求項３の映像音声データ記録再生装置であって、さらに、
固定記録媒体に記録されている映像音声データのうち、ユーザによって選択された映像音声データまたは付属情報から検索キーワードを抽出する検索キーワード抽出部と、
抽出された検索キーワードを外部記録媒体に書き込む検索キーワード書き込み部と、
を有することを特徴とする映像音声データ記録再生装置。
【請求項７】
請求項６の映像音声データ記録再生装置であって、さらに、
固定記録媒体に記録されている映像音声データのうち、映像音声データまたは付属情報に上記抽出された検索キーワードが含まれる映像音声データを、上記ユーザによる選択に追加する追加選択部を有することを特徴とする映像音声データ記録再生装置。
【請求項８】
請求項２の映像音声データ記録再生装置であって、
上記制御部は、外部記録媒体が装填された状態で装置の外部から入力された映像音声データが、上記選択情報に応じた選択の対象となる映像音声データである場合に、上記入力された映像音声データを外部記録媒体に記録させることを特徴とする映像音声データ記録再生装置。
【請求項９】
請求項２の映像音声データ記録再生装置であって、
上記制御部は、外部記録媒体の空き容量に応じて、固定記録媒体から外部記録媒体にコピーまたは移動される映像音声データの画質を制御するとともに、ユーザから映像音声データの移動が指示された場合に、画質の低下を伴う場合には、移動に代えてコピーを行わせることを特徴とする映像音声データ記録再生装置。
【請求項１０】
請求項２の映像音声データ記録再生装置であって、さらに、
固定記録媒体から外部記録媒体へのコピーまたは移動可能な容量を超えた映像音声データを他の外部記録媒体に記録する場合に、上記他の外部記録媒体にも上記選択情報を書き込む選択情報書き込み部を有することを特徴とする映像音声データ記録再生装置。
【請求項１１】
請求項２の映像音声データ記録再生装置であって、さらに、
上記固定記録媒体から外部記録媒体へのコピーまたは移動が完了した後に、外部記録媒体の空き容量、およびコピーまたは移動した映像音声データに関する情報の少なくとも一方に基づいて、外部記録媒体のファイナライズ処理を行うファイナライズ処理部を備えたことを特徴とする映像音声データ記録再生装置。
【請求項１２】
請求項１１の映像音声データ記録再生装置であって、
上記ファイナライズ処理部は、コピーまたは移動した映像音声データが一連のシリーズ番組の最終番組である場合に、ファイナライズ処理を行うことを特徴とする映像音声データ記録再生装置。
【請求項１３】
請求項１１の映像音声データ記録再生装置であって、
上記ファイナライズ処理部は、コピーまたは移動した映像音声データの容量と、外部記録媒体の空き容量とに基づいて、ファイナライズ処理を行うことを特徴とする映像音声データ記録再生装置。
【請求項１４】
請求項１３の映像音声データ記録再生装置であって、
上記ファイナライズ処理部は、コピーまたは移動した映像音声データの容量に基づいて、後にコピーまたは移動される映像音声データの容量を推定し、推定された容量と外部記録媒体の空き容量とに基づいて、ファイナライズ処理を行うことを特徴とする映像音声データ記録再生装置。
【請求項１５】
請求項２の映像音声データ記録再生装置であって、
上記制御部は、外部記録媒体に記録されている映像音声データの一覧を再生候補として表示部に表示させる際に、他の記録媒体に記録されている映像音声データのうち、上記選択情報に応じて選択される映像音声データの一覧を併せて表示させることを特徴とする映像音声データ記録再生装置。
【請求項１６】
請求項１５の映像音声データ記録再生装置であって、
上記制御部は、外部記録媒体および他の記録媒体に、同内容で画質の異なる映像音声データが記録されている場合に、画質の高い方の映像音声データに対して優先的に表示させることを特徴とする映像音声データ記録再生装置。
【請求項１７】
請求項２の映像音声データ記録再生装置であって、
上記制御情報は、さらに、外部記録媒体に記録されている映像音声データの一覧を表示部に表示させる際の表示形式を示すメニュー表示情報を含み、
上記制御部は、外部記録媒体に記録されている映像音声データの一覧を上記メニュー表示情報に基づいて表示させることを特徴とする映像音声データ記録再生装置。
【請求項１８】
請求項の１映像音声データ記録再生装置であって、
上記制御情報は、外部記録媒体に記録される映像音声データに確保されるべき最低画質を示す最低画質情報を含み、
上記制御部は、上記最低画質情報、および外部記録媒体の空き容量に応じて、外部記録媒体に記録される映像音声データの画質を制御することを特徴とする映像音声データ記録再生装置。
【請求項１９】
請求項１８の映像音声データ記録再生装置であって、
上記制御部は、外部記録媒体の空き容量が小さいほど、低い画質で映像音声データを記録させるとともに、空き容量が、上記最低画質での記録に必要な容量よりも小さい場合に、記録動作を中止させることを特徴とする映像音声データ記録再生装置。
【請求項２０】
請求項１の映像音声データ記録再生装置であって、
上記制御情報は、広告の映像音声データの記録または再生に関する広告制御情報を含み、
上記制御部は、装置の外部から入力された広告の映像音声データの記録抑制、記録強制、および再生スキップ抑制のうちの少なくとも１つを行うことを特徴とする映像音声データ記録再生装置。
【請求項２１】
着脱可能な外部記録媒体から、その外部記録媒体に対する映像音声データの記録方法および再生方法の少なくとも一方に関する制御情報を読み出す制御情報読み出しステップと、
上記制御情報に基づいて、上記外部記録媒体に対する映像音声データの記録および再生の少なくとも一方の制御を行う記録再生ステップと、
を有することを特徴とする映像音声データ記録再生方法。
【請求項２２】
請求項２１の映像音声データ記録再生方法であって、
上記制御情報は、複数の映像音声データのうちから１つ以上の映像音声データを選択する選択情報を含み、
上記記録再生ステップは、映像音声データ記録再生装置に固定的に設けられた固定記録媒体に記憶された映像音声データのうち、上記選択情報によって選択される映像音声データを外部記録媒体にコピーまたは移動させることを特徴とする映像音声データ記録再生方法。
【請求項２３】
映像音声データ記録再生装置に着脱可能な記録媒体であって、
その外部記録媒体に対する映像音声データの記録方法および再生方法の少なくとも一方に関する制御情報が記録されていることを特徴とする記録媒体。
【請求項２４】
請求項２３の記録媒体であって、
上記制御情報は、複数の映像音声データのうちから１つ以上の映像音声データを選択する選択情報を含むことを特徴とする記録媒体。
【請求項２５】
請求項２３の記録媒体であって、
上記制御情報は、上記外部記録媒体に記録される映像音声データに確保されるべき最低画質を示す最低画質情報を含むことを特徴とする記録媒体。
【発明の詳細な説明】
【技術分野】
【０００１】
本発明は、例えばＤＶＤ（Digital Versatile Disc）ドライブとハードディスクドライブとを備えた、いわゆるハイブリッド型録画装置などの映像音声データ記録再生装置に関するものである。
【背景技術】
【０００２】
近年、ハードディスクドライブや、ＤＶＤ、ＳＤカード（半導体メモリカード）等のリムーバブルメディアの容量が増大し、例えば３か月分、１クールの番組を全て記録することなどが可能となっている。このように多量の音声映像データの記録が可能になると、記録内容の整理、例えばメディア間でのコピーや移動などに要する手間が増大する。そこで、例えばＤＶ（Digital Video）テープに記憶されたストリームデータのうちの一部をＤＶＤにコピーする場合に、そのコピーするストリームデータをユーザが入力したキーワードに基づいて選択することにより、操作性の向上を図る技術が提案されている（例えば、特許文献１参照。）。
【特許文献１】特開２００６−１２７５９９号公報
【発明の開示】
【発明が解決しようとする課題】
【０００３】
しかしながら、上記のような装置では、ユーザがストリームデータをコピーや移動させようとする都度、キーワードを入力する必要があり、やはり煩雑な手間を要する。
【０００４】
本発明は、かかる点に鑑みてなされたものであり、記録媒体間で音声映像データをコピーや移動などする場合の操作性を向上させることを目的としている。
【課題を解決するための手段】
【０００５】
上記の課題を解決するため、
本発明は、
固定的に設けられた固定記録媒体に対して映像音声データを記録再生する固定記録媒体記録再生部と、
着脱可能な外部記録媒体に対して映像音声データを記録再生する外部記録媒体記録再生部と、
を有する映像音声データ記録再生装置であって、
上記外部記録媒体から、その外部記録媒体に対する映像音声データの記録方法および再生方法の少なくとも一方に関する制御情報を読み出す制御情報読み出し部と、
上記制御情報に基づいて、上記外部記録媒体に対する映像音声データの記録動作および再生動作の少なくとも一方を制御する制御部と、
を有することを特徴とする。
【０００６】
これにより、外部記録媒体が装填されると、制御情報が読み出され、その外部記録媒体に対する映像音声データの記録動作および再生動作の少なくとも一方が制御される。
【発明の効果】
【０００７】
本発明によれば、記録媒体間で音声映像データをコピーや移動などする場合の操作性を向上させることができる。
【発明を実施するための最良の形態】
【０００８】
以下、本発明の実施形態を図面に基づいて詳細に説明する。なお、以下の各実施形態において、他の実施形態と同様の機能を有する構成要素については同一の符号を付して説明を省略する。
【０００９】
《発明の実施形態１》
（ＤＶＤレコーダの構成）
実施形態１の映像音声データ記録再生装置として、ハードディスクドライブ（ＨＤＤ）が内蔵されたＤＶＤレコーダの例を説明する。このＤＶＤレコーダは、例えば図１に示すように構成されている。
【００１０】
内蔵ＨＤＤ１１０は、映像音声（ＡＶ）データを蓄積するものである。
【００１１】
リムーバブルメディアドライブ１１１は、ＤＶＤや半導体メモリカード等のリムーバブル（着脱可能な）メディアに対してＡＶデータを記録再生するようになっている。
【００１２】
メディアＩＦ部１０９は、上記内蔵ＨＤＤ１１０およびリムーバブルメディアドライブ１１１と、装置内の各部とのインターフェイス（ＩF）処理を行うものである。
【００１３】
ＡＶ処理部１０３は、放送やネットワークを介して送られるＡＶデータを受信して、内蔵ＨＤＤ１１０やリムーバブルメディアドライブ１１１に記録できる形式に変換したり、デコードしてＡＶ信号を生成し、図示しない表示装置に出力したりするようになっている。このＡＶ処理部１０３には、また、例えばＥＰＧなどと呼ばれる、番組タイトルやキーワード、出演者情報などを含む電子番組ガイド情報も入力されるようになっている。以下では、便宜上、上記情報は主としてＡＶデータのタイトルであるとして説明する。
【００１４】
ユーザＩＦ部１０４は、ユーザと装置との間のインターフェイス処理を行うものである。より具体的には、リモートコントローラ１０５と通信してユーザの操作を受け付けたり、図示しない表示装置に種々の情報を表示するようになっている。
【００１５】
検索部１０８は、例えば、ＤＶＤに検索キーワード（制御情報）が書き込まれている場合に、内蔵ＨＤＤ１１０に記録されているＡＶデータのうち、そのタイトルに上記検索キーワードが含まれるものを検索するようになっている。
【００１６】
タイトル選択部１０７は、上記検索の結果得られたタイトルを表示部に表示させて、ユーザの選択を受け付けるようになっている。
【００１７】
記録再生制御部１０６は、ユーザの操作に応じた記録再生動作等を制御するとともに、上記選択の結果に基づいて、ＡＶ処理部１０３の動作や、内蔵ＨＤＤ１１０、リムーバブルメディアドライブ１１１間でのＡＶデータの移動やコピー（ダビング）等を制御するようになっている。
【００１８】
（記録再生装置の動作）
上記のように構成された記録再生装置では、内蔵ＨＤＤ１１０に記録されているＡＶデータが、次のようにしてＤＶＤにコピーされる。
【００１９】
まず、ＤＶＤが装填されると、図２に示すような処理が行われる。
【００２０】
（Ｓ１０１）  メディアＩＦ部１０９は、ＤＶＤが装填されたことを検知する。
【００２１】
（Ｓ１０２）  検索部１０８は、装填されたＤＶＤに検索キーワードが書き込まれているかどうかを判別する。書き込まれていない場合（例えばブランクディスクである場合）に、（Ｓ１０３）以降の処理が行われる。
【００２２】
（Ｓ１０３）  検索部１０８は、ユーザＩＦ部１０４を介して、装填されたＤＶＤに検索キーワードが書き込まれていないことやブランクディスクであることを示すメッセージを表示し、検索キーワードを書き込むかどうかの確認をユーザに求める。
【００２３】
（Ｓ１０４）  検索部１０８は、ユーザによって検索キーワードを書き込む指示操作がされたかどうかを判別する。
【００２４】
（Ｓ１０５）  検索キーワードの書き込みが指示されれば、ユーザＩＦ部１０４は、さらに検索キーワードの入力操作などを受け付ける。
【００２５】
（Ｓ１０６）  検索部１０８は、入力された検索キーワードをメディアＩＦ部１０９を介してＤＶＤに書き込む。
【００２６】
なお、装填されたＤＶＤがブランクディスクであれば、検索キーワードを書き込む場合に（または書き込まない場合でも）、必要に応じてＤＶＤのフォーマットなどが行われるようにしてもよい。
【００２７】
上記のようにして（Ｓ１０６）でＤＶＤに検索キーワードが書き込まれ、または（Ｓ１０２）で既に検索キーワードが書き込まれていると判定された場合には、図３のような処理によって、内蔵ＨＤＤ１１０に記録されているＡＶデータがＤＶＤにコピーされる。
【００２８】
（Ｓ２０１）  検索部１０８は、メディアＩＦ部１０９を介して、ＤＶＤに記録されている検索キーワードを読み出す。
【００２９】
（Ｓ２０２）  次に、検索部１０８は、内蔵ＨＤＤ１１０に記録されているＡＶデータのうち、そのタイトルに上記検索キーワードが含まれるものを検索する。
【００３０】
（Ｓ２０３）  タイトル選択部１０７は、ユーザＩＦ部１０４を介して、検索結果のタイトルを表示する。
【００３１】
（Ｓ２０４）  タイトル選択部１０７は、さらに、上記検索結果のうちからユーザが実際にコピーしようとするＡＶデータの選択や変更を受け付ける。なお、このような操作を受け付けることなく自動的にコピーが開始されるようにしてもよい。さらに、自動的にコピーを開始させるかどうかを示す制御情報もあらかじめＤＶＤに記録できるようにしてもよい。
【００３２】
（Ｓ２０５）  記録再生制御部１０６は、上記選択結果（変更がない場合は検索結果と同じ）のＡＶデータ（タイトルも含む）を順次内蔵ＨＤＤ１１０から読み出し、ＤＶＤに記録することによりコピーする。
【００３３】
（Ｓ２０６）（Ｓ２０７）  記録再生制御部１０６によって所定のファイナライズ条件が満たされているかどうかが判定され、満たされていれば、その後にデータの追記や誤消去等を防止するためのファイナライズ処理が行われる。上記ファイナライズ条件は、例えばＤＶＤの空き容量がなくなった場合、より具体的には、例えば空き容量とコピーしたＡＶデータの平均ファイルサイズ（推定サイズ）との比が所定の基準値以下になった場合や、コピーしたＡＶデータのタイトルなどによってシリーズ番組の最終回であることが判った場合などを適用することができる。また、このようなファイナライズ処理をするかどうかや、判定条件も制御情報としてＤＶＤに記録されるようにしてもよい。これらによって、ユーザが特に操作したりすることなくファイナライズ処理させることが容易にできる。なお、最終的にファイナライズ処理するかどうかをユーザが確認できるようにしてもよい。
【００３４】
（Ｓ２０８）  選択された全てのＡＶデータのコピーが完了すれば、コピー処理を終了する。なお、この時点でも、前記（Ｓ２０６）（Ｓ２０７）のファイナライズ処理条件の確認等が行われるようにしてもよい。一方、選択された全てのＡＶデータが、装填されているＤＶＤに記録しきれなかった場合には、（Ｓ２０９）の処理に移行する。
【００３５】
（Ｓ２０９）  記録再生制御部１０６は、ユーザＩＦ部１０４を介して、残りのＡＶデータを他のＤＶＤに記録するかどうかをユーザに確認するメッセージを表示する。
【００３６】
（Ｓ２１０）  メディアＩＦ部１０９は、次のＤＶＤが装填されたことを検知する。
【００３７】
（Ｓ２１１）  記録再生制御部１０６は、検索部１０８に、元のＤＶＤに記録されていた検索キーワードを新たに装填されたＤＶＤにも記録するように指示する。その後、（Ｓ２０５）以降が繰り返される（なお、（Ｓ２０３）に戻って、コピーするＡＶデータの確認から繰り返されるようにしてもよい。）。上記のように次のＤＶＤにも検索キーワードが記録されることによって、そのＤＶＤに対しても自動的に同種のＡＶデータが検索されてコピーされるようにすることができる。ここで、例えば新たに装填されたＤＶＤに既に検索キーワードが記録されている場合には、上書きするようにしたり追記するようにしたりしてもよいし、ブランクディスクや検索キーワードが記録されていないＤＶＤだけを受け付けるようにしたりしてもよい。なお、何枚目のディスクかを区別するような情報が自動的に書き込まれるようにしてもよい。
【００３８】
なお、上記の例では、ユーザによって指定された検索キーワードがＤＶＤに記録される例を示したが、これに限らず、例えばネットワークや放送経由で（有償または無償で）供給されたものが書き込まれるようにしてもよいし、また、あらかじめ放送局やスポンサーなどによって検索キーワードが書き込まれたＤＶＤが流通されるなどしてもよい。（例えば放送局などコンテンツ配信側では検索精度の高い検索情報を容易に提供することができる。）
また、ＤＶＤに検索キーワードが記録される例を示したが、これに限らず、ＡＶデータを記録する際の（最低）画質レベルなどが記録され、用いられるようにしてもよい。
【００３９】
また、そのような記録する、または既に記録されている制御情報の編集機能も持たせてもよい。
【００４０】
また、上記の例ではコピーが行われる例を示したが、これに限らず、移動（ＤＶＤへの記録と内蔵ＨＤＤ１１０からの削除）が行われるようにしてもよい。その場合、コピーされるか移動されるかは、ユーザの指示やＤＶＤに記録されている制御情報に応じて、または自動的に決定されるようにすることができる。また、ＤＶＤに記録されている制御情報による指示をデフォルトとして、ユーザの確認を求めるようにしてもよい。
【００４１】
また、ＤＶＤへの記録が行われる際には、ＤＶＤ空き容量に応じて、画質変換（再圧縮）等の加工が施されるようにしてもよい。その場合、許容される最低の画質レベルを示す制御情報なども、ＤＶＤに記録され、画質変換の制御やコピー中止制御などに用いられるようにしてもよい。また、画質変換することにより記録が可能な場合に、ユーザの確認を求めるようにしてもよい。また、ＡＶデータの移動が指示されている場合でも画質の低下を伴う記録ならば可能な場合には、自動的にコピーが行われるようにしてもよい。
【００４２】
また、必要に応じてコピー済みであることを示す情報や、コピー先のＤＶＤを特定する情報、画質変換等の加工を施してＤＶＤに記録した場合などにはその旨を示す情報を内蔵ＨＤＤ１１０に記録するようにしてもよい。これによって、他のＤＶＤに重複してコピーすることを防止したり、より高画質なコピーだけがなされるようにしたりすることが容易にできる。（また、上記のようなコピー済情報は、内蔵ＨＤＤ１１０の空き容量が少なくなった場合に消去するＡＶデータを選択するための参考情報としてユーザに提示したり、削除候補の優先度を決定するのにも使うこともできる。）
また、ＤＶＤに記録するＡＶデータの一覧を表示する際には、装填されているＤＶＤに（そのままの画質、または画質変換して）記録可能なＡＶデータについてだけ表示されるようにしてもよい。
【００４３】
また、上記の例ではＡＶデータのタイトルが検索の対象とされる例を示したが、これに限らず、ＡＶデータに付属または含まれる種々の情報、例えばＡＶデータの要約情報や、ジャンル、キーワード、出演者などが用いられるようにしてもよい。これらにより、シリーズものや関連番組、同一の出演者などのＡＶデータをＤＶＤを装填するだけで記録でき、ＡＶデータを容易に整理したり管理したりできる。
【００４４】
《発明の実施形態２》
ＤＶＤ等に記録されている検索キーワードに基づいて、放送やネットワークを介して受信されたＡＶデータをどの記録媒体に記録するかが制御される映像音声データ記録再生装置の例を説明する。この映像音声データ記録再生装置は、実施形態１の記録再生制御部１０６に代えて、図４に示すように記録再生制御部２０６を備えている。上記記録再生制御部２０６は、記録再生制御部１０６と同様の処理を行うほか、図５に示すような処理を行うようになっている。
【００４５】
（Ｓ３０１）  ＤＶＤが装填されると、記録再生制御部２０６は、そのＤＶＤに記録されている検索キーワードを読み出す。なお、ＤＶＤが装填されていない場合には、通常の記録再生装置と同様に、受信されたＡＶデータは内蔵ＨＤＤ１１０に記録される。
【００４６】
（Ｓ３０２）  記録再生制御部２０６は、受信されたＡＶデータのタイトルに上記検索キーワードが含まれているかどうかを判別し、含まれている場合には（Ｓ３０３）、含まれていない場合には（Ｓ２０４）の処理に移行する。
【００４７】
（Ｓ３０３）  記録再生制御部２０６は、受信されたＡＶデータをＤＶＤに記録する。
【００４８】
（Ｓ３０４）  記録再生制御部２０６は、受信されたＡＶデータを内蔵ＨＤＤ１１０に記録する。
【００４９】
上記のように、検索キーワードの記録されたＤＶＤが装填されている場合には受信されたＡＶデータがＤＶＤに記録され得るようにすることにより、実施形態１の装置でＡＶデータがコピーされたのと同じＤＶＤが、ＡＶデータの受信の際に得られることになる。
【００５０】
なお、ＤＶＤまたは内蔵ＨＤＤ１１０の何れかだけに記録されるのに限らず、例えばＤＶＤに記録される場合には同時に内蔵ＨＤＤ１１０にも記録されるようにしてもよい。
【００５１】
また、受信された全てのＡＶデータがＤＶＤまたは内蔵ＨＤＤ１１０に記録されるのに限らず、あらかじめユーザによって設定されたキーワードやジャンル指定、録画予約など、所定の録画条件に合致するものだけを対象としてどちらに記録されるかを制御するようにしてもよいし、上記録画条件に合致しなくても、ＤＶＤに記録されている検索キーワードが含まれていれば、ＤＶＤに記録されるようにしてもよい。
【００５２】
また、検索キーワードの記録されていないＤＶＤが装填されて、図２のような書き込みもされなかった場合には、上記のような判別はされないことになるが、そのような場合には、ユーザの選択指示に応じたＤＶＤまたは内蔵ＨＤＤ１１０に記憶容量が許す限り受信された全てのＡＶデータが記録されるようにしてもよい。また、ＤＶＤに検索キーワードが記録されていない場合で、上記のような録画条件に合致するＡＶデータが受信された場合には内蔵ＨＤＤ１１０に優先的に記録するようにしてもよいし、常に内蔵ＨＤＤ１１０に記録されるようにしてもよい。
【００５３】
《発明の実施形態３》
ユーザが再生するＡＶデータを選択する際に、ＤＶＤ等に記録されている検索キーワードが用いられる映像音声データ記録再生装置の例を説明する。この映像音声データ記録再生装置は、実施形態１の記録再生制御部１０６および検索部１０８に代えて、図６に示すように、記録再生制御部３０６および検索部３０８を備えている。上記記録再生制御部３０６等は、記録再生制御部１０６等と同様の処理を行うほか、図７に示すような処理を行うようになっている。
【００５４】
（Ｓ４０１）  ＤＶＤが装填されると、検索部３０８は、そのＤＶＤに記録されている検索キーワードを読み出す。
【００５５】
（Ｓ４０２）  次に、検索部３０８は、ＤＶＤ、および内蔵ＨＤＤ１１０に記録されているＡＶデータのうち、そのタイトルに上記検索キーワードが含まれるものを検索する。ここで、ＤＶＤについては、記録されている全てのＡＶデータのタイトルが取得されるようにしてもよい（実施形態１、２のようにして検索キーワードに応じたＡＶデータだけが記録されている場合には同じ検索結果になる。）。
【００５６】
（Ｓ４０３）  タイトル選択部１０７は、検索結果のタイトルを表示する。ここで、ＤＶＤと内蔵ＨＤＤ１１０とに同じＡＶデータが記録されている場合には、一方のタイトルだけが表示されるようにしてもよいし、両方のタイトルが表示されるようにしてもよい。特に、同内容で記録画質が異なる場合には、高画質な方だけ表示されるようにしたり、または高画質な方が優先的に（例えば選択しやすい上位に）表示されるようにしてもよい。
【００５７】
（Ｓ４０４）  タイトル選択部１０７は、さらに、上記検索結果のうちからユーザが実際に再生しようとするＡＶデータの選択を受け付ける。
【００５８】
（Ｓ４０５）  記録再生制御部３０６は、選択されたＡＶデータを再生する。すなわち、ＤＶＤまたは内蔵ＨＤＤ１１０に記録されているＡＶデータが読み出されてＡＶ処理部１０３に入力され、ＡＶ信号として出力される。
【００５９】
上記のように、実施形態１、２のようにして検索キーワードに応じたＡＶデータがＤＶＤに記録されている場合には、内蔵ＨＤＤ１１０に記録されている同種のＡＶデータのタイトルも同時に表示させることができるので、例えばシリーズものや関連番組などのＡＶデータを複数の記録媒体に亘って容易に選択し、再生することができる。
【００６０】
《発明の実施形態４》
検索キーワードをＤＶＤに記録する他の例について説明する。この映像音声データ記録再生装置は、実施形態１の記録再生制御部１０６および検索部１０８に代えて、図８に示すように、記録再生制御部４０６および検索部４０８を備えている。上記記録再生制御部４０６等は、記録再生制御部１０６等と同様の処理を行うほか、図９に示すような処理を行うようになっている。
【００６１】
（Ｓ５０１）  検索部４０８は、内蔵ＨＤＤ１１０に記録されている全てのＡＶデータを検索結果とし、タイトル選択部１０７は、検索結果のタイトルを表示する。
【００６２】
（Ｓ５０２）  タイトル選択部１０７は、さらに、表示されたタイトルのうちからユーザがコピーしようとするＡＶデータの選択を受け付ける。
【００６３】
（Ｓ５０３）  記録再生制御部４０６は、選択されたタイトルに共通のキーワードを検索キーワードとして抽出する（ＡＶデータが１つだけ選択された場合には例えばそのＡＶデータのタイトルそのものを検索キーワードとしてもよい。）。
【００６４】
（Ｓ５０４）  検索部４０８は、上記抽出された検索キーワードによって、内蔵ＨＤＤ１１０に記録されているＡＶデータを検索する。
【００６５】
（Ｓ５０５）  タイトル選択部１０７は、検索結果のタイトルを検索キーワードと伴に表示する。なお、必ずしもこのような表示や次の（Ｓ５０６）の確認が行われるのに限らず、ユーザが（Ｓ５０２）で選択したのと同じＡＶデータが検索された場合には、直ちにその検索キーワードがＤＶＤに記録されるようにしてもよい。
【００６６】
（Ｓ５０６）  記録再生制御部４０６は、ユーザによる上記検索キーワードの確認操作を受け付ける。すなわち、上記検索キーワードによって、ユーザの所望の検索結果が得られているかどうかが確認される。なお、必要に応じてユーザが検索キーワードを変更、追加、削除などできるようにしてもよい。
【００６７】
（Ｓ５０７）  記録再生制御部４０６は、ユーザによって確認された検索キーワードをＤＶＤに書き込む。
【００６８】
（Ｓ５０８）  また、記録再生制御部１０６は、上記選択または検索されたＡＶデータを順次内蔵ＨＤＤ１１０から読み出し、ＤＶＤに記録することによりコピー（または移動）する。なお、必ずしもコピーせずに、検索キーワードの書き込みだけが行われるようにしてもよいし、ユーザの指示に応じてコピーの有無が制御されるようにしてもよい。また、コピー時に限らず、再生などのための選択動作が行われる際に、上記のような検索キーワードの抽出や記録が行われるようにしてもよい。
【００６９】
上記のように、既に内蔵ＨＤＤ１１０に記録されているＡＶデータを選択するだけで、適切な検索キーワードをＤＶＤに記録させることが容易にできる。
【００７０】
なお、ＤＶＤにＡＶデータが記録され、検索キーワードは記録されていない場合に、上記記録されているＡＶデータに基づいて検索キーワードが抽出されて記録されるようにしてもよい。
【００７１】
また、検索キーワードの書き込みが行われない場合でも、上記のような検索キーワードの抽出とこれに基づく検索が行われるようにすれば、例えばシリーズものや関連番組などのＡＶデータを容易に選択し、再生したりコピーしたりすることができる。
【００７２】
《制御情報の他の例》
ＤＶＤ等に記録される制御情報としては、上記で説明したような検索キーワード、ＤＶＤが装填されたときに自動的にコピーが開始されるかどうか、ファイナライズ処理に関するもの、ＡＶデータをコピーするか移動するかや、画質レベルに関するものの他、さらに種々の、そのＤＶＤ等に対する映像音声データの記録方法および再生方法の少なくとも一方に関する制御情報を適用することができる。
【００７３】
例えば、放送局やスポンサーが、放送番組に含まれる広告（ＣＭ）の放送時刻など本編との識別を可能にする制御情報を記録しておいて、ＤＶＤへの記録時にＣＭをカットしたり再生時にＣＭをスキップしたりすることができるようにして、放送局等がＤＶＤを配布する場合の付加価値を高めるようにしてもよい。逆に、ＣＭのカットやスキップを阻止できるようにして、そのような制御情報が記録された記録媒体を宣伝活動などに用い得るようにすることもできる。
【００７４】
また、種々の制御情報自体を暗号化したり非公開情報として放送するなどし、その暗号化制御情報を復号する復号鍵等を制御情報としてＤＶＤに記録するなどしてもよい。この場合にも、そのようなＤＶＤを配布する場合の付加価値を高めることなどができる。
【００７５】
また、マルチストーリーを含むＡＶデータの場合の選択メニューを表示させるための制御情報や、ＡＶデータの記録または再生に関連するインターネットへのアクセスを可能にする制御情報、記録されているＡＶデータの一覧を表示する場合のメニュー表示形式を示す制御情報などを用いるようにしてもよい。
【００７６】
また、無償で放送されるＡＶデータ等を記録した場合に、販売されるＤＶＤに記録されているＡＶデータと同じような体裁で再生できるようにする制御情報を用いることもできる。
【００７７】
また、予約録画する場合と同様の録画制御が行われるような制御情報をＤＶＤに記録して、そのＤＶＤを装填するだけで、特定のＡＶデータが自動的に録画されるようにしてもよい。
【００７８】
さらに、通常の著作権制御に対して、例えばコピー阻止制御やコピー回数制限を緩和可能にする制御情報をＤＶＤに記録するようにしたりしてもよい。
【産業上の利用可能性】
【００７９】
本発明にかかる映像音声データ記録再生装置は、記録媒体間で音声映像データをコピーや移動などする場合の操作性を向上させることができる効果を有し、例えばＤＶＤ（Digital Versatile Disc）ドライブとハードディスクドライブとを備えたハイブリッド型録画装置などと呼ばれる映像音声データ記録再生装置等として有用である。
【図面の簡単な説明】
【００８０】
【図１】実施形態１の映像音声データ記録再生装置の構成を示すブロック図である。
【図２】同、ＤＶＤ装填時の動作を示すフローチャートである。
【図３】同、ＡＶデータコピー時の検索キーワード書き込み動作を示すフローチャートである。
【図４】実施形態２の映像音声データ記録再生装置の構成を示すブロック図である。
【図５】同、放送されたＡＶデータコピー時の動作を示すフローチャートである。
【図６】実施形態３の映像音声データ記録再生装置の構成を示すブロック図である。
【図７】同、ＡＶデータ再生時の動作を示すフローチャートである。
【図８】実施形態４の映像音声データ記録再生装置の構成を示すブロック図である。
【図９】同、ＡＶデータの手動コピー時の検索キーワード書き込み動作を示すフローチャートである。
【符号の説明】
【００８１】
１０３      ＡＶ処理部
１０４      ユーザＩＦ部
１０５      リモートコントローラ
１０６      記録再生制御部
１０７      タイトル選択部
１０８      検索部
１０９      メディアＩＦ部
１１０      内蔵ＨＤＤ
１１１      リムーバブルメディアドライブ
２０６      記録再生制御部
３０６      記録再生制御部
３０８      検索部
４０６      記録再生制御部
４０８      検索部
【図１】
2008152820.tif 000003
【図２】
2008152820.tif 000004
【図３】
2008152820.tif 000005
【図４】
2008152820.tif 000006
【図５】
2008152820.tif 000007
【図６】
2008152820.tif 000008
【図７】
2008152820.tif 000009
【図８】
2008152820.tif 000010
【図９】
2008152820.tif 000011